(57)【要約】【課題】バックスイングからフォロースルーまでの間を所望の軌跡で安定にスイングできるようにしたパターヘッドを提供する。【解決手段】前面に打撃フェイス（２１）が形成されたフェイス体（２０）と、フェイス体より高比重の材料を用いて上記フェイス体よりも重くなるように製作されたヘッド本体（３０）とを相互に間隔をあけて連結部材（４０）で固定する一方、ヘッド本体の上面のシャフト取付け部（３１）にシャフト（５０）を固定する。シャフトの取付け部はパターヘッドを水平面に自然に置いた姿勢におけるヘッド本体上面と、ヘッド重心を通って打撃フェイスに平行な面との交線上に設けるのがよい。【選択図】　図１
0003098282.tif 000002
【実用新案登録請求の範囲】
【請求項１】
前面に打撃フェイスが形成されたフェイス体と、
該フェイス体より高比重の材料を用いて上記フェイス体よりも重くなるように製作され、上面にシャフト取付け部を有するヘッド本体と、
下端が上記ヘッド本体のシャフト取付け部に固定され、上端部にグリップを有するシャフトと、
上記ヘッド本体の前端面とフェイス体の後端面とを相互に間隔をあけて固定する連結部材と、を備えたことを特徴とするゴルフパター。
【請求項２】
上記シャフトの取付け部は、上記フェイス体、連結部材及びヘッド本体で構成されるパターヘッドを水平面に自然に置いた姿勢における上記ヘッド本体上面と、上記パターヘッドのヘッド重心を通って上記打撃フェイスに平行な面との交線上に設けられている請求項１記載のゴルフパター。
【請求項３】
上記シャフトは、上記ヘッド本体のシャフト取付け部から上方に延びた後前方に曲成されて延び、上記フェイス体の打撃フェイスの直上の位置で上方に曲成されて延びる形状になっている請求項１又は２記載のゴルフパター。
【請求項４】
上記シャフトは、上記ヘッド本体のシャフト取付け部から斜め上前方に延び、上記フェイス体の打撃フェイスの直上の位置で上方に曲成されて延びる形状になっている請求項１又は２記載のゴルフパター。
【請求項５】
上記ヘッド本体とフェイス体とは、上記打撃フェイスに平行な方向に相互に間隔をあけて配置された２つ以上の連結部材によって相互に固定されている請求項１ないし４のいずれかに記載のゴルフパター。
【請求項６】
上記フェイス体がアルミニウム系の材料、マグネシウム系の材料又はプラスチック材料で製作され、上記ヘッド本体が銅系の材料、鉄系の材料又はタングステンで製作されている請求項１ないし５のいずれかに記載のゴルフパター。
【考案の詳細な説明】
【０００１】
【考案の属する技術分野】
本考案はゴルフパターに関し、特にバックスイングからフォロースルーまでを所望の軌跡で安定にスイングできるようにしたパターに関する。
【０００２】
【従来の技術】
最近、ゴルフブームの影響もあって多くの人達がゴルフを楽しむようになってきた。ゴルフプレイにおいて、ドライバーショットがいくら飛んでもグリーン上で例えば３パットも４パットもしていてはスコアメイクは難しい。
【０００３】
ゴルフコースでは１番から１８番までの各ホールのグリーン毎に傾斜や芝目等の異なる位置にピンを設定し、多くのプレイヤーが自分の技量に応じてプレイを楽しめるようにしている。従って、パッティングで大切なことは、パターヘッドのフェイスのスイートスポットをいかによいタッチで正確にボールに当てるかどうか、及びボールに当てた後のパターヘッドを目標に向けて正確にフォロースルーさせることができるかどうかである。
【０００４】
従来、低比重の材料からなるヘッド本体のトウ側及びヒール側、あるいはヘッド本体の背面に高比重の材料からなる重錘を結合してヘッドを構成し、フェイスのスイートスポットを大きくするようにしたゴルフパターが種々提案されている（例えば、特許文献１、特許文献２、特許文献３、等参照）。
【０００５】
【特許文献１】特開平０７−２８９６６９号公報
【特許文献２】特開２００１−０６２０１３号公報
【特許文献３】特開２００２−１９１７３３号公報
【０００６】
【考案が解決しようとする課題】
しかし、上記従来公報記載のゴルフパターではスイートスポットが広いので、ヘッドの運動量をボールに効率よく伝えることができるものの、バックスイングからフォロースルーまでを所望の軌跡で安定にスイングできずにダフリ等を起こすことがあった。
【０００７】
本考案はかかる問題点に鑑み、バックスイングからフォロースルーまでを所望の軌跡で安定にスイングできるようにしたゴルフパターを提供することを課題とする。
【０００８】
【課題を解決するための手段】
そこで、本考案に係るゴルフパターは、前面に打撃フェイスが形成されたフェイス体と、該フェイス体より高比重の材料を用いて上記フェイス体よりも重くなるように製作され、上面にシャフト取付け部を有するヘッド本体と、下端が上記ヘッド本体のシャフト取付け部に固定され、上端部にグリップを有するシャフトと、上記ヘッド本体の前端面とフェイス体の後端面とを相互に間隔をあけて固定する連結部材と、を備えたことを特徴とする。
【０００９】
本考案の特徴の１つは重いヘッド本体と軽いフェイス体とを相互に間隔をあけて固定してヘッド本体にヘッド重心を設定し、ヘッド本体の上面にシャフトの下端を連結するようにした点にある。
【００１０】
これにより、ゴルフプレイヤーがグリップを握ってシャフトを自然に垂下させると、パターヘッドはそのヘッド重心がグリップの鉛直下方に位置した姿勢（安定姿勢）をとって安定するので、打撃フェイスはヘッド重心よりも前方に位置する。
【００１１】
すると、クラブパターをバックスイングから前方にスイングし、打撃フェイスをボールに当てた瞬間にはパターヘッドは上述の安定姿勢に達しておらず、その後にパターヘッドの重さによってヘッド重心がグリップの鉛直下方に位置する上述の安定姿勢まで動いて安定する。これは打撃フェイスをボールに当てた後のフォロースルーの最初の動作がパターヘッドの重さによって行われることを意味し、後はその勢いを利用してフォロースルーを終わらせればよいので、打撃フェイスを目標に正確に指向させた姿勢でフォロースルーを行うことができ、バックスイングからフォロースルーまでを所望の軌跡で安定にスイングできる。
【００１２】
また、上述のようにパターヘッドの重さによってフォロースルーの最初の動作が行われるので、ヘッド重心の鉛直直上の位置を通って打撃フェイスに平行な直線上にシャフト取付け部があるのが好ましい。
【００１３】
そこで、シャフトの取付け部は、フェイス体、連結部材及びヘッド本体で構成されるパターヘッドを水平面に自然に置いた姿勢におけるヘッド本体上面と、ヘッド重心を通って打撃フェイスに平行な面との交線上に設けられているのが好ましい。
【００１４】
シャフトはヘッド本体のシャフト取付け部から上方（鉛直上方又は斜め上方を含む）に延びる形状としてもよいが、パッティングでは打撃フェイスをボールに当てる瞬間にゴルフプレイヤーの視線でシャフトが真っ直ぐ下方に見えるのが自然である。
【００１５】
そこで、シャフトは、ヘッド本体のシャフト取付け部から上方（鉛直上方又は斜め上方を含む）に延びた後前方に曲成されて延び、フェイス体の打撃フェイスの直上の位置で上方（鉛直上方又は斜め上方を含む）に曲成されて延びる形状になっているのが好ましい。
【００１６】
また、シャフトは、ヘッド本体のシャフト取付け部から斜め上前方に延び、フェイス体の打撃フェイスの直上の位置で上方（鉛直上方又は斜め上方を含む）に曲成されて延びる形状になっているのが好ましい。
【００１７】
また、連結部材は１つでもよいが、打撃フェイスと平行な方向に相互に間隔をあけた２つ以上の連結部材でヘッド本体とフェイス体とを連結すると、スイートスポットを拡大できる。そこで、ヘッド本体とフェイス体とは、打撃フェイスと平行な方向に相互に間隔をあけて配置された２つ以上の連結部材によって倉庫に固定されているのがよい。
【００１８】
フェイス体及びヘッド本体の材料は前者の比重が後者の比重よりも小さい材料であれば特に限定されず、どのような材料の組合せを用いてもよい。例えば、フェイス体をアルミニウム系の材料（例えば、アルミニウム、アルミニウム合金（例えばジュラルミン））、マグネシウム合金その他の軽金属材料、プラスチック材料、あるいは複合材料（例えば、ＦＲＰ、Ｃ．ＦＲＰ等）で製作し、ヘッド本体を銅系材料（例えば、銅、真鍮その他の銅合金）、鉄系材料（例えば、鉄鋼、ステンレス）、あるいはタングステンで製作することができる。
【００１９】
【考案の実施の形態】
以下、本考案を図面に示す具体例に基づいて詳細に説明する。図１ないし図３は本考案に係るクラブパターの好ましい実施形態を示す。図において、パターヘッド１０はフェイス体２０、ヘッド本体３０及び２つの連結スペーサ（連結部材）４０から構成され、ヘッド本体３０の上面のシャフト取付け部３１にはシャフト５０の下端が固定され、シャフト５０の上端部にはグリップ５１が設けられている。
【００２０】
フェイス体２０はアルミニウム系の材料、例えばジュラルミンを用いて横幅方向（打撃フェイスと平行な方向）の全長にわたって一定の厚みに製作され、フェイス体２０の前面は打撃フェイス２１となっている。
【００２１】
ヘッド本体３０はフェイス体２０の材料よりも比重の大きい銅系の材料、例えば真鍮を用いてフェイス体２０よりも重くなるような大きさに製作され、ヘッド本体３０の前端には平坦な取付け面が形成されるとともに、ヘッド本体３０の後半部上面は凹状に形成されている。
【００２２】
フェイス体２０の後端面とヘッド本体３０の前端取付け面との間には２つの連結スペーサ４０が打撃フェイス２１に平行な方向に相互に間隔をあけて配置され、連結スペーサ４０は取付けボルト４１の締付けによってフェイス体２０とヘッド本体３０とを相互に固定しており、これによってフェイス体２０とヘッド本体３０との間には間隔があけられている。
【００２３】
また、パターヘッド１０の重心ＣＧはヘッド本体３０の前側部分に存在し、シャフト取付け部３１はパターヘッド１０を水平面に自然に置いた姿勢におけるヘッド本体３０の上面と、ヘッド重心ＣＧを通って打撃フェイス２１に平行な面Ａとの交線のほぼ中央に設けられている。
【００２４】
シャフト５０は、下端部がヘッド本体３０のシャフト取付け部５１から上方に延びた後前方に曲成されて延び、フェイス体２０の打撃フェイス２１の直上の位置で上方に曲成されて延びた形状となっている。
【００２５】
パッティングをする場合、ボールの横にスクエアーに立ち、グリップ５１を握ってクラブパターを構え、打撃フェイス２１を目標に指向させる。この目標はゴルフプレイヤーが芝目や傾斜に応じて設定する。その状態からクラブパターをバックスイングした後、前方にスイングし、図３の（ａ）に示されるように打撃フェイス２１をボールＢに当て、ボールＢを前方に転動させる。
【００２６】
打撃フェイス２１をボールＢに当てた瞬間にはパターヘッド１０のヘッド重心ＣＧはボールＢのあった位置を通る鉛直面よりも後方にあり、パターヘッド１０は自分の重さによって前方に移動しようとする。
【００２７】
つまり、打撃フェイス２１をボールＢに当てた後、フォロースルーを行うが、フォロースルーの最初の動作はパターヘッド１０の重さによって行われるので、後はその勢いを利用してフォロースルーを終わらせればよい。
【００２８】
その結果、打撃フェイス２１を目標に正確に指向させた姿勢でフォロースルーを行うことができ、バックスイングからフォロースルーまでを所望の軌跡で安定にスイングできる。
【００２９】
また、本例のゴルフパターではフェイス体２０とヘッド本体３０とを相互に間隔をあけた２つの連結スペーサ４０で固定しているので、打撃フェイス２１のスイートスポットは大きくなっているので、パターヘッド１０の運動量をボールＢに効率よく伝えることができる。
【００３０】
図４は第２の実施形態を示し、図において図１と同一符号は同一部分又は相当部分を示す。本例はシャフト取付け部３１の位置及びシャフト５０の形状が第１の実施形態のそれと異なっている。
【００３１】
即ち、本例ではヘッド本体３０のシャフト取付け部３１がパターヘッド１０を水平面に自然に置いた姿勢におけるヘッド本体３０の上面と、ヘッド重心ＣＧを通って打撃フェイスに平行な面Ａとの交線の横方向の側方（ヒール側）に設けられ、シャフト５０はヘッド本体３０のシャフト取付け部３１から斜め上前方に延び、フェイス体２０の打撃フェイス２１の直上の位置で上方に曲成されて延びる形状となっている。
【００３２】
このように、シャフト取付け部３１の位置及びシャフト５０の形状を変更しても、ヘッド重心ＣＧがヘッド本体３０に存在するので、第１の実施形態と同様の作用効果を奏することは明らかである。
【図面の簡単な説明】
【図１】本考案に係るゴルフパターの好ましい実施形態を示す斜視図である。
【図２】上記実施形態におけるパターヘッドを示す図である。
【図３】上記実施形態における作用を説明するための図である。
【図４】第２の実施形態を示す斜視図である。
【符号の説明】
１０　　　パターヘッド
２０　　　フェイス体
２１　　　打撃フェイス
３０　　　ヘッド本体
３１　　　シャフト取付け部
４０　　　連結スペーサ（連結部材）
５０　　　シャフト
５１　　　グリップ
【図１】
0003098282.tif 000003
【図２】
0003098282.tif 000004
【図３】
0003098282.tif 000005
【図４】
0003098282.tif 000006